(57)【要約】【課題】  竜頭をロック状態とするとき、及び竜頭のロック状態を解除してぜんまいを巻き上げるときの竜頭の操作性を向上できる手巻き式の携帯時計を提供する。【解決手段】  ぜんまいを巻き上げる回転をぜんまいに伝達するとともにぜんまいを巻戻す回転がぜんまいに伝達されないようにする一方向クラッチを有したムーブメント13と巻真45を、時計外装組立11の胴14に内蔵し、胴にその外部に配置される雄ねじ部32を有した巻真パイプ31を固定し、巻真に接続された竜頭35を雄ねじ部32に着脱可能に噛合わせ、竜頭の係合端面37aを胴の係止面14cに接触させて竜頭をロック状態に保つ腕時計10を前提とする。竜頭35をロック状態にするときに竜頭35がぜんまいの巻き上げ方向と逆方向に回転操作され、ロック状態を解除しかつぜんまいを巻き上げるときにぜんまいの巻き上げ方向と同方向に竜頭35が回転操作されることを特徴としている。【選択図】図２
2011047895.tif 000002
【特許請求の範囲】
【請求項１】
ぜんまい、及びこのぜんまいを巻き上げる回転を前記ぜんまいに伝達するとともに前記ぜんまいを巻戻す回転が前記ぜんまいに伝達されないように動作する一方向クラッチを有したムーブメントと、
このムーブメントに回転を伝達する巻真と、
外周部に係止面が形成された胴を有し前記ムーブメント及び巻真が内蔵された時計外装組立と、
前記胴の外部に配置される雄ねじ部を有して前記胴に固定された巻真パイプと、
前記胴の外部に配置される竜頭ヘッドを有し、前記雄ねじ部に着脱可能に螺合される雌ねじ部及び前記係止面に接離される係合端面が前記竜頭ヘッドに形成されていて、前記係合端面を前記係止面に接触させてロック状態に保たれる際に前記ぜんまいの巻き上げ方向と逆方向に回転操作され、前記ロック状態を解除しかつ前記ぜんまいを巻き上げるときに前記ぜんまいの巻き上げ方向と同方向に回転操作される竜頭と、
を具備したことを特徴とする携帯時計。
【請求項２】
前記ぜんまいの巻き上げ方向と逆方向に前記竜頭が回転されたときに、前記係合端面が前記係止面に接する方向に前記竜頭が移動されるように前記雄ねじ部及び前記雌ねじ部が形成されていることを特徴とする請求項１に記載の携帯時計。
【請求項３】
前記竜頭が右回りに回転操作された際に前記ぜんまいが巻き上げられるとともに、前記竜頭が左回りに回転操作された際に前記竜頭が前記ロック状態に配置されることを特徴とする請求項１又は２に記載の携帯時計。
【請求項４】
前記竜頭をロック状態とする場合の前記竜頭の回転方向を示す表示を前記竜頭ヘッドの正面に設けたことを特徴とする請求項１から３の内のいずれか一項に記載の携帯時計。
【請求項５】
ぜんまい、及びこのぜんまいを巻き上げる回転を前記ぜんまいに伝達するとともに、前記ぜんまいを巻戻す回転が前記ぜんまいに伝達されないように動作する一方向クラッチを有したムーブメントと、
このムーブメントに回転を伝達する巻真と、
外周部に係止面が形成された胴を有し前記ムーブメント及び巻真が内蔵された時計外装組立と、
前記胴の外部に位置される雄ねじ部を有して前記胴に固定された巻真パイプと、
前記胴の外部に位置される竜頭ヘッドを有し、前記雄ねじ部に着脱可能に螺合される雌ねじ部及び前記係止面に接離される係合端面が前記竜頭ヘッドに形成されていて、前記係合端面を前記係止面に接触させてロック状態に保たれる竜頭と、
を具備する携帯時計において、
前記竜頭を前記ロック状態にするとき、前記竜頭を前記ぜんまいの巻き上げ方向と逆方向に回転操作し、前記ロック状態から前記ぜんまいを巻き上げるとき、前記竜頭を前記ぜんまいの巻き上げ方向と同方向に回転操作して、前記ロック状態を解除するとともにこの解除に連続して前記同方向への前記竜頭の回転操作を継続することを特徴とする竜頭の操作方法。
【発明の詳細な説明】
【技術分野】
【０００１】
本発明は、携帯中に不用意に回転されないようにロックされる竜頭を備えた手巻き式ダイバーズウォッチ等の携帯時計、及びこの時計が備えた前記竜頭の操作方法に関する。
【背景技術】
【０００２】
携帯時計の中には、ねじ部の噛み合いを利用して竜頭が不用意に回転されないようにしたロック構造を備えたものが、従来知られている（例えば、特許文献１参照。）。
【０００３】
この従来のロック構造において、竜頭は、巻真を連動する竜頭軸と、この軸を回転させる竜頭ヘッドを具備している。竜頭軸の軸端部は、ムーブメントが内蔵された胴に固定された巻真パイプの外に配置されている。これとともに、前記軸端部の周部に異形形状の回転力受け部を形成し、竜頭ヘッドに雌ねじ部及び異形形状の回転力伝達部を設けている。回転力伝達部は、雌ねじ部より大径で、かつ、雌ねじ部に連続して形成されている。回転力伝達部は回転力受け部に着脱可能であるとともに、この回転力伝達部と回転力受け部は、竜頭ヘッドと竜頭軸との間での動力の伝達又はその解除を担う一種の噛み合いクラッチを形成している。
【０００４】
この携帯時計では、巻真パイプの雄ねじ部が胴の外側に位置されていて、この雄ねじ部に竜頭の雌ねじ部が着脱可能に噛合わされている。これらの噛み合いにより竜頭の係合端面が胴の外周部に形成された係止面に接するロック状態とすることで、竜頭を不用意に回転されないように保つことができる。このように竜頭がロックされた状態では、回転力伝達部は回転力受け部から離れていて、前記噛み合いクラッチは回転力の伝達を切った状態にある。
【０００５】
雌ねじ部と雄ねじ部との噛合わせが外された状態、つまり、竜頭のロック状態が解除された状態では、竜頭ヘッドが弾性体の付勢力で胴から離れる方向に移動されるようになっている。この移動に伴い、回転力伝達部が回転力受け部に嵌合されて、前記噛み合いクラッチは連結されて回転力の伝達を可能とする状態になる。そのため、ロックが外された状態で竜頭ヘッドが回転されると、嵌合している回転力伝達部及び回転力受け部を介して竜頭軸に回転が伝えられて、巻真を回転させることができる。
【先行技術文献】
【特許文献】
【０００６】
【特許文献１】特開２００５−１２７８１６号公報（段落００１１−００５５、図１−図５）
【発明の概要】
【発明が解決しようとする課題】
【０００７】
特許文献１の携帯時計では、竜頭をロック状態とするために、竜頭ヘッドの雌ねじ部をパイプの雄ねじ部に噛合わせる回転操作の際に、巻真が連動して回されることがない。そのため、ムーブメントがその動力源としてぜんまいを有している手巻き式の携帯時計の場合、ぜんまいに影響されずに竜頭をロックする操作を軽くできる利点がある。
【０００８】
しかし、竜頭のロック状態を解除する際、雌ねじ部と雄ねじ部の噛み合いが外れてから回転力伝達部が回転力受け部に係合されるまでの間、竜頭ヘッドは、支持されず、ぐらつく可能性がある。そのため、竜頭の操作が不安定になり、回転力受け部に対して回転力伝達部が円滑に係合できないことがある。すなわち、回転力伝達部と回転力受け部とからなる噛み合いクラッチを「入り（連結）」状態にするための操作性がよくないことがある、という課題がある。
【０００９】
又、特許文献１には、ぜんまいを巻上げる際の竜頭の回転方向、及びロック状態を解除する際の竜頭の回転方向については記載がない。しかし、一般的に、ぜんまいの巻き上げは、竜頭を右回り（時計回り）に回転させることでなされている。これとともに、雄ねじ部と雌ねじ部との噛み合いを解除するには、竜頭を左回り（反時計回り）に回転させることでなされている。
【００１０】
このため、竜頭のロック状態を解除し、引き続いてぜんまいを巻き上げるには、まず、竜頭を左回りに回転して竜頭のロック状態を解除し、この後、竜頭を右回りに回転してぜんまいを巻き上げなければならない。こうした手順では、竜頭のロックが外されたかどうかを確認する必要があるとともに、この確認に基づいて竜頭をそれまでとは逆回りに回転させるので、竜頭のロック状態の解除からぜんまいの巻き上げを一挙動と同様な操作で行うことができず、使い勝手がよくない、という課題がある。
【００１１】
本発明の目的は、竜頭をロック状態とするとき、及び竜頭のロック状態を解除してぜんまいを巻き上げるときの竜頭の操作性を向上できる手巻き式の携帯時計及びこの時計が備える竜頭の操作方法を提供することにある。
【課題を解決するための手段】
【００１２】
前記課題を解決するために、本発明の携帯時計は、ぜんまい、及びこのぜんまいを巻き上げる回転を前記ぜんまいに伝達するとともに前記ぜんまいを巻戻す回転が前記ぜんまいに伝達されないように動作する一方向クラッチを有したムーブメントと、このムーブメントに回転を伝達する巻真と、外周部に係止面が形成された胴を有し前記ムーブメント及び巻真が内蔵された時計外装組立と、前記胴の外部に配置される雄ねじ部を有して前記胴に固定された巻真パイプと、前記胴の外部に配置される竜頭ヘッドを有し、前記雄ねじ部に着脱可能に螺合される雌ねじ部及び前記係止面に接離される係合端面が前記竜頭ヘッドに形成されていて、前記係合端面を前記係止面に接触させてロック状態に保たれる際に前記ぜんまいの巻き上げ方向と逆方向に回転操作され、前記ロック状態を解除しかつ前記ぜんまいを巻き上げるときに前記ぜんまいの巻き上げ方向と同方向に回転操作される竜頭と、を具備したことを特徴としている。
【００１３】
本発明では、竜頭内に噛み合いクラッチを設けていないにも拘らず、竜頭をロック状態とする場合は、ぜんまいの巻き上げ時の竜頭の回転方向とは逆方向に竜頭が回転操作されるに伴い、ムーブメントが有した一方向クラッチが動力伝達を断つ状態となる。このため、ぜんまいの巻き上げ負荷を受けないで竜頭をロック状態にできるとともに、この際、ぜんまいが巻き上がっていても、このぜんまいが更に巻き上げられることがないので、竜頭をロック状態にする時の竜頭の回転が重くなることがない。しかも、竜頭のロック状態を解除してぜんまいを巻き上げるときは、竜頭のロック状態を解除する際の竜頭の回転方向と、これに引き続くぜんまいの巻き上げのための竜頭の回転方向が同じである。このため、竜頭の回転方向を気にすることなく回転操作の連続性が図れるので、竜頭の操作性を向上できる。
【００１４】
本発明の携帯時計の好ましい形態では、前記ぜんまいの巻き上げ方向と逆方向に前記竜頭が回転されたときに、前記係合端面が前記係止面に接する方向に前記竜頭が移動されるように前記雄ねじ部及び前記雌ねじ部が形成されていることを特徴としている。
【００１５】
この好ましい形態では、巻真パイプの雄ねじ部と竜頭の雌ねじ部とを噛み合わせて、竜頭をぜんまいの巻き上げ方向と逆方向に回転操作することによって、竜頭を胴側に移動させるとともにその係合端面を胴の係止面に接触させて、竜頭をロック状態に保つことができる。これとともに、前記ロック状態を解除してぜんまいを巻き上げるときに、竜頭がぜんまいの巻き上げ方向と同方向に回転されるため、ムーブメントのぜんまいの巻き上げ方向に合わせて雄ねじ部と雌ねじ部を形成することで、その他の部位の構成が従来と同じでありながら、本発明の課題を解決できる。
【００１６】
本発明の携帯時計の好ましい形態では、前記竜頭が右回りに回転操作された際に前記ぜんまいが巻き上げられるとともに、前記竜頭が左回りに回転操作された際に前記竜頭が前記ロック状態に配置されることを特徴としている。
【００１７】
この好ましい形態では、ぜんまいを巻上げるために竜頭が、従来一般的な竜頭の回転方向と同じく右回りに回転操作されるので、ぜんまいを巻上げる操作において違和感がない。これとともに、竜頭をロック状態とするにはこの竜頭を左回りに回転操作することで実現できるので、こうした右回り及び左回りの回転操作を可能とする雄ねじ部と雌ねじ部を形成することで、その他の部位の構成が従来と同じでありながら、本発明の課題を解決できる。
【００１８】
本発明の携帯時計の好ましい形態では、前記竜頭をロック状態とする場合の前記竜頭の回転方向を示す表示を前記竜頭ヘッドの正面に設けたことを特徴としている。
【００１９】
この好ましい形態では、竜頭ヘッドの表示にしたがって竜頭を回転操作することにより、竜頭をロック状態とする上で、竜頭の回転方向を間違えることを抑制できる、という利点がある。
【００２０】
又、本発明の携帯時計が備える竜頭の操作方法は、ぜんまい、及びこのぜんまいを巻き上げる回転を前記ぜんまいに伝達するとともに、前記ぜんまいを巻戻す回転が前記ぜんまいに伝達されないように動作する一方向クラッチを有したムーブメントと、このムーブメントに回転を伝達する巻真と、外周部に係止面が形成された胴を有し前記ムーブメント及び巻真が内蔵された時計外装組立と、前記胴の外部に位置される雄ねじ部を有して前記胴に固定された巻真パイプと、前記胴の外部に位置される竜頭ヘッドを有し、前記雄ねじ部に着脱可能に螺合される雌ねじ部及び前記係止面に接離される係合端面が前記竜頭ヘッドに形成されていて、前記係合端面を前記係止面に接触させてロック状態に保たれる竜頭と、を具備する携帯時計を前提とする。
【００２１】
そして、前記課題を解決するために、本発明の竜頭の操作方法は、前記竜頭を前記ロック状態にするとき、前記竜頭を前記ぜんまいの巻き上げ方向と逆方向に回転操作し、前記ロック状態から前記ぜんまいを巻き上げるとき、前記竜頭を前記ぜんまいの巻き上げ方向と同方向に回転操作して、前記ロック状態を解除するとともにこの解除に連続して前記同方向への前記竜頭の回転操作を継続することを特徴としている。
【００２２】
この竜頭の操作方法では、竜頭をロック状態とする場合の竜頭の回転操作では、ぜんまいの巻き上げ時の竜頭の回転方向とは逆方向に竜頭が回転されるに伴い、一方向クラッチが動力伝達を断つ状態となるので、ぜんまいの巻き上げ負荷を受けないで竜頭をロックできるとともに、この際、ぜんまいが巻き上がっていても、このぜんまいが更に巻き上げられることがないので、竜頭をロックする際の竜頭の回転操作が重くなることがなく、竜頭の操作性を向上できる。しかも、竜頭のロック状態を解除してぜんまいを巻き上げるときは、竜頭のロック状態を解除する際の竜頭の回転方向と、これに引き続くぜんまいの巻き上げのための竜頭の回転方向が同じであり、竜頭の回転方向を気にすることなく回転操作の連続性が図れるので、竜頭の操作性を向上できる。
【発明の効果】
【００２３】
本発明によれば、竜頭をロック状態とするとき、及び竜頭のロック状態を解除してぜんまいを巻き上げるときの竜頭の操作性を向上できる、という効果がある。
【図面の簡単な説明】
【００２４】
【図１】本発明の一実施の形態に係る手巻き式の腕時計をその竜頭がロックされた状態で示す正面図である。
【図２】図１中Ｆ２−Ｆ２線に沿って示す断面図である。
【図３】一実施の形態に係る腕時計をその竜頭のロックが解除された状態で示す正面図である。
【図４】図３中Ｆ４−Ｆ４線に沿って示す断面図である。
【図５】一実施の形態に係る腕時計の竜頭まわりを示す側面図である。
【図６】一実施の形態に係る腕時計が備えるムーブメントの一部を巻真とともに示す斜視図である。
【図７】一実施の形態に係る腕時計が備えるムーブメントの一方向クラッチまわりを示す斜視図である。
【図８】一実施の形態に係る腕時計が備えるムーブメントが有した香箱車とこれに収容されたぜんまいとの関係をぜんまいが巻かれる前の状態で示す図である。
【図９】一実施の形態に係る腕時計が備えるムーブメントが有した香箱車とこれに収容されたぜんまいとの関係をぜんまいが巻かれた状態で示す図である。
【発明を実施するための形態】
【００２５】
以下、図１から図９を参照して本発明の一実施の形態について、詳細に説明する。
【００２６】
図１〜図４中符号１０は手巻き式の携帯時計例えば手巻き式の腕時計を示している。図２及び図４に示すように腕時計１０の時計外装組立１１には、時刻表示板１２及びムーブメント１３が内蔵されているとともに、図１〜図４に示すように時計外装組立１１の周部に竜頭３５が取付けられている。
【００２７】
図２及び図４に示すように時計外装組立１１は、胴１４と、カバーガラス１６と、裏蓋１８を備えている。胴１４は、金属製であり、かつ、環状に形成されている。この胴１４は、その正面側に装着されたガラス支持部材１４ａを有している。ガラス支持部材１４ａは金属等により環状に形成されている。なお、ガラス支持部材１４ａと、それ以外の胴１４の部位、つまり、胴主部とは、以上のように別体ではなく一体に形成することもできる。
【００２８】
胴１４の外周部、具体的には前記胴主部の外周部に、溝１４ｂが形成されている。溝１４ｂは時刻表示板１２の３時を示した時刻表記に対応して設けられていて、時計外装組立１１の正面側及び裏面側並びに側方に開放されている。胴１４はその厚み方向と平行な係止面１４ｃを有しており、この係止面１４ｃは溝１４ｂの底面で形成されている。
【００２９】
カバーガラス１６は、その周部をガラス支持部材１４ａに液密に接続して、胴１４の厚み方向の一面からなる正面を塞いで装着されている。裏蓋１８は、金属等からなり、胴１４の厚み方向の他面からなる裏面を液密に塞いで胴１４に螺着されている。
【００３０】
胴１４のガラス支持部材１４ａ以外の部位、つまり、胴主部には、胴１４を径方向に貫通するパイプ取付け孔１５が開けられている。パイプ取付け孔１５の一端は、胴１４で囲まれた胴内空間１４ｄに開口されている。パイプ取付け孔１５の他端は、係止面１４ｃに開口されている。
【００３１】
胴内空間１４ｄに配設されたムーブメント１３は、竜頭３５の手動操作で巻き上げられるぜんまい２８（図８及び図９参照）を動力源とした機械式のものである。このムーブメント１３は、例えば従来一般的なものであり、ぜんまい２８を巻き上げるために、図６に示すようにつづみ車２０、きち車２１、一方向クラッチ２２、丸穴車２３、丸穴伝え車２４、揺動車２５、角孔車２６、及び香箱車２７等を備えている。
【００３２】
つづみ車２０は後述の巻真４５に接続されている。つづみ車２０は図示しない角軸部を有しており、この角軸部を巻真４５が有した図示しない角穴に挿入して接続されている。このため、つづみ車２０は巻真４５の回転に連動して回転され、かつ、つづみ車２０の角軸部に沿って巻真４５は軸方向に移動可能であり、この移動により巻真４５及び竜頭３５が「０段」、「１段」、「２段」の各位置に移動される。なお、つづみ車２０は「１段」の位置で、きち車２１との動力伝達が解除されるとともに、図示しないカレンダー修正の歯車列に接続され、「２段」の位置で図示しない時刻修正の歯車列に接続されるようになっている。
【００３３】
巻真４５のつづみ車側端部の外周は円形に形成されていて、この外周にきち車２１が回転自由でかつ巻真４５の軸方向には移動不能に嵌合されている。一方向クラッチ２２は、つづみ車２０ときち車２１の動力の伝達とその解除を担うものであって、例えば図７に示すように斜面が形成された複数の爪部を有した一対のクラッチ片２２ａ，２２ｂを備える噛合いクラッチが用いられている。クラッチ片２２ａはつづみ車２０に一体に形成され、クラッチ片２２ｂは巻真４５とともに移動されるきち車２１に一体に形成されている。この一方向クラッチ２２は、巻真４５が右回り(時計回り)に回された際にクラッチ片２２ａ，２２ｂの噛み合いを維持して、つづみ車２０からきち車２１への動力を伝達する。この逆に、一方向クラッチ２２は、巻真４５が左回り(反時計回り)に回された際にクラッチ片２２ａ，２２ｂの噛み合いを解除して、つづみ車２０からきち車２１への動力の伝達を解除する。
【００３４】
図６に示すように丸穴車２３は、きち車２１に対して直角となるように配設されて、きち車２１に噛み合わされている。丸穴伝え車２４は丸穴車２３に噛み合わされ、揺動車２５は丸穴伝え車２４に噛み合わされている。更に、角孔車２６は揺動車２５に噛み合わされている。角孔車２６は香箱車２７の側面に設けられている。したがって、巻真４５の回転がきち車２１に伝えられると、丸穴車２３、丸穴伝え車２４、揺動車２５、及び角孔車２６がなす歯車列を経由して、香箱車２７が回転されるようになっている。
【００３５】
図８及び図９に示すように香箱車２７にぜんまい２８が収容されている。ぜんまい２８の巻終わり端部２８ａは、Ａ部でぜんまい外掛け部材２９に溶接されている。ぜんまい外賭け部材２９は、香箱車２７の周壁内面に開放する溝２７ａに引っ掛かっている。ぜんまい２８の巻始め端部２８ｂは香箱車２７の中央部に固定されている。このぜんまい２８は、後述の竜頭３５が例えば右回り（時計回り）に回転操作された場合に、香箱車２７が右回りに回転されて巻き上げられるようになっている。ぜんまい２８が巻き上げられた状態を図９に示し、ぜんまい２８が巻き戻された状態を図８に示す。このぜんまい２８が巻き戻る力でムーブメント１３が駆動されるようになっている。
【００３６】
図２及び図４に示すように胴１４に金属製の巻真パイプ３１が取付けられている。巻真パイプ３１は、胴１４の外側からパイプ取付け孔１５に挿入されて、胴１４にろう付けされている。巻真パイプ３１は、その軸方向両端が夫々開放された円筒状に形成されているとともに、胴１４の外部に配置されるパイプ端部３１ａを備えている。パイプ端部３１ａは係止面１４ｃに対して直角で側方に突出されている。
【００３７】
パイプ端部３１ａはその外周部に雄ねじ部３２を有している。雄ねじ部３２は、後述する竜頭３５をロック状態とする際の竜頭３５の回転に伴い一方向クラッチ２２が切れる（動力伝達を断つ）ように、ぜんまい２８の巻き上げ方向とは逆方向に巻かれたねじ山を有するねじ部で形成されている。更に、この雄ねじ部３２は、後述の竜頭３５がぜんまい２８の巻き上げ方向とは逆方向に回転されたときに、後述の係合端面３７ａが係止面１４ｃに接する方向に竜頭３５が移動されるように形成されている。そのために本実施形態では例えば左ねじで雄ねじ部３２が形成されている。
【００３８】
金属製の竜頭３５は、竜頭軸３６、及びこの竜頭軸３６が中央部から一体に突出して形成された竜頭ヘッド３７を有している。竜頭軸３６はその先端が開放された円形パイプ状である。この竜頭軸３６の先端部外周に、ゴムやエラストマ等の弾性材料からなる円環形の防水パッキン３８が装着されている。更に、竜頭軸３６の先端部内側に接続リング３９が固定されている。この接続リング３９の中心孔は角孔である。
【００３９】
竜頭ヘッド３７は竜頭軸３６より短いとともに大径であり、これらの間に竜頭軸３６の根元部外周を囲む円形の逃げ溝４１が形成されている。逃げ溝４１には、巻真パイプ３１に対する竜頭３５の着脱に伴ってパイプ端部３１ａが挿脱可能である。竜頭ヘッド３７は、逃げ溝４１の開放端に連続する円形の係合端面３７ａを有している。この係合端面３７ａは竜頭軸３６の軸方向と直交する面と平行である。竜頭ヘッド３７の外周面３７ｂは、竜頭３５を回転操作する使用者の指が滑り難くするために、凹凸面をなしたローレット加工面で形成されている。
【００４０】
更に、竜頭ヘッド３７はその内周部に巻真パイプ３１の雄ねじ部３２に着脱可能に螺合される雌ねじ部４２を有している。この雌ねじ部４２は、雄ねじ部３２と同様に竜頭３５をロック状態とする際の竜頭３５の回転に伴い一方向クラッチ２２が切れるように、ぜんまい２８の巻き上げ方向とは逆方向に巻かれたねじ山を有するねじ部で形成されている。更に、この雌ねじ部４２は、後述の竜頭３５がぜんまい２８の巻き上げ方向とは逆方向に回転されたときに、後述の係合端面３７ａが係止面１４ｃに接する方向に竜頭３５が移動されるように形成されている。そのために、本実施形態では例えば雄ねじ部３２と同様に左ねじで雌ねじ部４２が形成されている。
【００４１】
竜頭ヘッド３７の正面に図５に示すように表示４０が刻印されている。この表示４０は、竜頭３５をロック状態とする場合の竜頭３５の回転方向を示すもので、矢印とともに例えば「ＬＯＣＫ」なる文字列で形成されている。
【００４２】
竜頭３５の竜頭軸３６は胴１４の外側から巻真パイプ３１に挿入されている。この巻真パイプ３１の内周面に胴内空間１４ｄに対する防水を図る防水パッキン３８が摺動可能に接触されている。これとともに、竜頭３５の雌ねじ部４２が巻真パイプ３１の雄ねじ部３２に螺合されて、竜頭３５が巻真パイプ３１に着脱可能に取付けられている。
【００４３】
竜頭３５の回転等をムーブメント１３に伝える金属製の巻真４５が竜頭３５に接続されている。即ち、胴内空間１４ｄに配設された巻真４５の一端部が、ムーブメント１３に接続されており、竜頭３５側に配設された巻真４５の他端部は、竜頭軸３６内にその先端開口を通って挿入されている。この巻真４５の他端部は接続リング３９の中心孔に応じた角軸形状(図示しない)をなしており、この角軸形状部は前記中心孔を摺動可能に挿通している。この中心孔と巻真４５の他端部（角軸形状部）との嵌合により竜頭３５の回転が巻真４５に伝えられるようになっている。
【００４４】
更に、巻真４５の他端部に竜頭軸３６内に配置される止め輪４６が取付けられている。止め輪４６は巻真４５の軸方向には移動できないように保持されている。竜頭軸３６には、止め輪４６をばね受けとして用いるコイルばね４７が収容されていて、このコイルばね４７のばね力で、竜頭３５が胴１４の係止面１４ｃから離れる方向に付勢されている。
【００４５】
以上の構成を備えた腕時計１０において、竜頭３５が不用意に回転されないようにロックされた状態は、図２に示されている。このロック状態では、竜頭３５の雌ねじ部４２が巻真パイプ３１の雄ねじ部３２に噛み合わされている（螺合されている）とともに、竜頭３５の係合端面３７ａが胴１４の係止面１４ｃに接している。そのため、係止面１４ｃをストッパとして、竜頭３５は表示４０が示した方向にそれ以上回すことができないように位置決めされている。
【００４６】
このロック状態では、巻真パイプ３１に対する竜頭軸３６の挿入深さが最大であるに伴い、コイルばね４７が強く圧縮された状態にあって、竜頭３５が胴１４から離れる方向に強く付勢されている。それにも拘らず、前記噛み合いによって竜頭３５が胴１４から離れる方向に動かされることはない。
【００４７】
竜頭３５のロック状態を解除する場合には、竜頭３５を右回り（時計回り）に回転すればよい。それにより、雄ねじ部３２と雌ねじ部４２との噛み合いの状態が変わって、係合端面３７ａが胴１４の係止面１４ｃから離れる方向に竜頭３５が移動されるので、ロック状態が解除され、やがて、雄ねじ部３２に対する雌ねじ部４２の噛み合いが外される。これと同時に、竜頭３５が、コイルばね４７のばね力により、接続リング３９が止め輪４６に当たるまで押し出される。こうしたロック解除状態を図３及び図４に示す。
【００４８】
以上のようにロックが解除されて竜頭３５が押し出された状態、つまり「０段」の状態で、竜頭３５を引き続いて右回り（時計回り）に回転することにより、ムーブメント１３のぜんまい２８を巻き上げることができる。この場合、竜頭３５の回転方向は、ムーブメント１３が有した一方向クラッチ２２が「入り」状態、言い換えれば、連結状態となる方向であるので、竜頭３５の回転が巻真４５を介してムーブメント１３に伝達されて、ぜんまい２８が巻き上げられる。
【００４９】
既述のように竜頭３５のロック状態を解除するときの竜頭３５の回転方向と、それに引き続くぜんまい２８を巻き上げるための竜頭３５の回転方向は同じである。そのため、竜頭３５のロック状態を解除してぜんまい２８を巻き上げる際、竜頭３５のロック状態が解除されたかどうかを確認する必要がないとともに、この確認に基づいて竜頭３５をそれまでとは逆回りに回転させる手間を要しない。
【００５０】
即ち、竜頭３５のロック状態を解除するための回転をロック状態が解除された後も単に継続する、という簡単な操作で、竜頭３５の回転方向等を気にすることなく、竜頭３５のロック状態の解除とぜんまい２８の巻き上げを連続して行える。このように竜頭３５のロック状態の解除とぜんまい２８を巻き上げる場合において、竜頭３５の回転方向が同一で連続的に竜頭３５を回転操作すればよいので、竜頭３５の操作性を向上できる。なお、ぜんまい２８の巻き上げの完了は、ぜんまい２８が巻き上がることで急激に増えるぜんまい２８の負荷により、竜頭３５の回転が重くなることで知覚できる。
【００５１】
更に、ぜんまい２８を巻き上げ可能な図３及び図４の状態から日付け合わせをする場合には、係止面１４ｃに対して竜頭３５が更に離れるように竜頭３５を引き動かして日付け合わせ位置、つまり「１段」の位置に竜頭３５を配置した上で、この竜頭３５を回転して行うことができる。更に、時刻合わせをする場合、竜頭３５を「１段」の位置から更に時刻合わせ位置、つまり、「２段」の位置に引き動かした上で、この竜頭３５を回転することにより、時刻合わせ行うことができる。なお、これら両配置のいずれかに竜頭３５が配置された場合、それに伴い一方向クラッチ２２の噛み合いが外される（言い換えれば一方向クラッチ２２が切れた状態になる）ので、日付け合わせ又は時刻合わせのために竜頭３５を回転する上で、ぜんまい２８が負荷となることはない。
【００５２】
前記各操作後に竜頭３５を再びロック状態に戻すには、竜頭３５をコイルばね４７に抗して胴１４側に押し戻した上で、竜頭３５を回転操作して、その雌ねじ部４２を巻真パイプ３１の雄ねじ部３２に螺合させればよい。この場合、竜頭ヘッド３７の表示４０にしたがって竜頭３５を回転すればよい。それにより、竜頭３５をロック状態とする上で、竜頭３５の回転方向を間違えることを抑制できる。
【００５３】
以上の手順で竜頭３５をロック状態に戻すとき、竜頭３５はぜんまい２８の巻き上げ方向とは逆方向に回転操作される。具体的には竜頭３５を左回りに回転操作する。それによる雌ねじ部４２と雄ねじ部３２の噛み合いの変化で、竜頭３５が胴１４の係止面１４ｃに近づくように移動され、やがて、竜頭３５の係合端面３７ａが係止面１４ｃに当たる。したがって、この接触により腕時計１０の携帯時等に竜頭３５が不要に回転されないように竜頭３５をロック状態に保つことができる。
【００５４】
こうして竜頭３５をロック状態にする際、既述のようにぜんまい２８の巻き上げ方向と逆方向に竜頭３５が回転されると同時に、巻真４５が竜頭３５と同方向に回転される。このときの巻真４５の回転方向は、一方向クラッチ２２を「切」状態とする回転であるので、この一方向クラッチ２２の駆動側のクラッチ片２２ａが受動側のクラッチ片２２ｂを滑るように空転する。このため、ぜんまい２８を巻き戻すように左回りに回転された竜頭３５の回転は、一方向クラッチ２２を介してきち車２１には伝達されない。
【００５５】
このように竜頭３５をロック状態にする場合には、竜頭３５とぜんまい２８が巻真４５及び一方向クラッチ２２を介して接続されていないから、竜頭３５の回転操作に対してぜんまい２８が負荷にならない。そのため、ぜんまい２８が充分に巻き上がっている状態にあっても、このぜんまい２８を原因として、竜頭３５をロック状態にする場合の竜頭３５の回転操作が重くなることがない。このようにぜんまい２８の巻き上げ負荷を受けないで竜頭３５を回転してロック状態とできるので、竜頭３５の操作性を向上できる。
【００５６】
又、前記構成の携帯時計１０は、既述のようにムーブメント１３が有した一方向クラッチ２２を利用して、竜頭３５をロック状態とする場合の竜頭３５の回転操作を、ぜんまい２８の巻き上げ負荷を受けないで行える。このため、竜頭３５を回転してロック状態に保つ場合にぜんまい２８の巻き上げ負荷を受けないようにするための専用のクラッチを必要としない。即ち、従来技術のように竜頭を竜頭ヘッドと竜頭軸に分けるとともにこれらの間に噛み合いクラッチを竜頭ヘッド３７の内側に設ける工夫が不要であり、竜頭軸３６と竜頭ヘッド３７を一体にして竜頭３５を形成できるので、竜頭３５の構成が簡単でかつ竜頭３５の竜頭ヘッド３７が厚くならないようにできる。
【００５７】
しかも、本実施形態では、竜頭３５が右回りに回転された際にぜんまい２８が巻き上げられるとともに、竜頭３５が左回りに回転された際に竜頭３５がロック状態に配置されるようになっている。そのため、ぜんまい２８を巻上げるために竜頭３５が、一般的な手巻き式式携帯時計の竜頭の回転方向と同じく右回りに回転されるので、ぜんまい２８を巻上げる操作において違和感がない。これとともに、竜頭３５をロック状態とするには、この竜頭３５を左回りに回転することで実現できる。そのため、こうした回転操作を可能とする雄ねじ部３２と雌ねじ部４２を形成することで、ムーブメント１３等その他の部位の構成が従来と同じで済むので、実施が容易である。
【００５８】
なお、前記一実施形態では、竜頭３５が右回りに回転されたときに、竜頭３５のロック状態が解除されるとともにぜんまい２８が巻き上げられ、この逆に竜頭３５が左回りに回転されたときに、竜頭３５がロック状態に螺合されるとともに、竜頭３５の回転がぜんまい２８に伝達されないように一方向クラッチ２２が切れるように構成したが、この逆にして実施することもできる。つまり、本発明は、竜頭３５が左回りに回転されたときに、竜頭３５のロック状態が解除されるとともにぜんまい２８が巻き上げられ、この逆に竜頭３５が右回りに回転されたときに、竜頭３５がロック状態に螺合されるとともに、竜頭３５の回転がぜんまい２８に伝達されないように一方向クラッチ２２が切れるように構成して実施できる。
【００５９】
又、本発明は、腕時計以外の携帯時計、例えば懐中時計にも適用できる。
【符号の説明】
【００６０】
１０…腕時計（携帯時計）
１１…時計外装組立
１３…ムーブメント
１４…胴
１４ｃ…係止面
２２…一方向クラッチ
２８…ぜんまい
３１…巻真パイプ
３２…雄ねじ部
３５…竜頭
３６…竜頭軸
３７…竜頭ヘッド
３７ａ…係合端面
４０…表示
４２…雌ねじ部
４５…巻真
【図１】
2011047895.tif 000003
【図２】
2011047895.tif 000004
【図３】
2011047895.tif 000005
【図４】
2011047895.tif 000006
【図５】
2011047895.tif 000007
【図６】
2011047895.tif 000008
【図７】
2011047895.tif 000009
【図８】
2011047895.tif 000010
【図９】
2011047895.tif 000011